(57)【要約】      （修正有）【課題】着脱容易で作業がしやすい食品把持用指カバーを提供する。【解決手段】手指を差し込み可能な開口部１１を有し手指の少なくとも第一関節を被覆可能な袋状のカバー部１０を備え、指に装着したとき手の甲側となる前記カバー部の表面に、カバー部内外の通気を可能とする連通部３０を設けた食品把持用指カバーである。【選択図】図１
2014221954.tif 000002
【特許請求の範囲】
【請求項１】
手指を差し込み可能な開口部を有し手指の少なくとも第一関節を被覆可能な袋状のカバー部を備え、指に装着したとき手の甲側となる前記カバー部の表面に、カバー部内外の通気を可能とする連通部を設けたことを特徴とする食品把持用指カバー。
【請求項２】
前記連通部は、前記カバー部の開口縁側に設けられ前記カバー部の指差込方向若しくは指差込方向と直交する方向に長いスリットであることを特徴とする請求項１記載の食品把持用指カバー。
【請求項３】
前記連通部は、指に装着したとき指先側となる前記カバー部の先端側に設けられた孔であることを特徴とする請求項１又は２記載の食品把持用指カバー。
【発明の詳細な説明】
【技術分野】
【０００１】
本発明は、調理用の指カバーに関する。
【背景技術】
【０００２】
食品を摘む際に手指に食品を付着させずかつ手指の汚れを食品に付着させないためのカバー部材が知られている。例えば、特許文献１には、複数の袋状指包被部を連結部で連結した摘食用指カバーが開示されている。また、特許文献２には、円筒状のフィンガーキャップの表面に内側に窪んだ溝部を設け、着用時にフィット感を高めるようにしたものが記載されている。
【先行技術文献】
【特許文献】
【０００３】
【特許文献１】実開平８−３９５号公報
【特許文献２】特表２０１１−５２５３８４号公報
【発明の概要】
【発明が解決しようとする課題】
【０００４】
ここで、調理用の指カバーは、使用中に外れてしまわないように指先にフィットすることが求められるが、そのように指の外周にぴったり装着できるカバーは取り外し難いという問題点があった。また、高温の食品を摘むための指カバーなど、厚みをもって形成されているものは、カバーを装着したまま指を曲げにくく、作業が行いづらいという問題点があった。
そこで、本願発明は、着脱容易で作業がしやすい指カバーを提供することを目的とする。
【課題を解決するための手段】
【０００５】
各請求項に記載された発明は、上記した各目的を達成するためになされたものであり、本発明の特徴点を図面に示した発明の実施の形態を用いて、以下に説明する。
なお、符号は、発明の実施の形態において用いた符号を示し、本発明の技術的範囲を限定するものではない。
（第１の発明）
本願の第１の発明は、手指を差し込み可能な開口部(11)を有し手指の少なくとも第一関節を被覆可能な袋状のカバー部(10)を備え、指に装着したとき手の甲側となる前記カバー部(10)の表面に、カバー部(10)内外の通気を可能とする連通部(30)を設けたことを特徴とする食品把持用指カバー(1)である。
【０００６】
本発明によれば、カバー部(10)の表面に通気のための連通部(30)を設けたので、カバー部(10)に指を差し込む場合にはカバー部(10)内の空気が連通部(30)から押し出されて指を差し込みやすく、カバー部(10)から指を引き抜く場合には連通部(30)からカバー部(10)内に空気が入り込んで指を引き抜きやすい。これにより、着脱を容易にすることができる。
（第２の発明）
第２の発明は、上記した第１の発明の特徴点に加え、前記連通部(30)は、前記カバー部(10)の開口縁(11A)側に設けられ前記カバー部(10)の指差込方向若しくは指差込方向と直交する方向に長いスリット(31)であることを特徴とする。
【０００７】
本発明において、食品把持用指カバー(1)を装着した状態で指を曲げると、スリット(31)が広がってカバー部(10)の内径が拡張される。これにより、指を曲げやすくなる。
（第３の発明）
第３の発明は、上記した第１又は第２の発明の特徴点に加え、前記連通部(30)は、指に装着したとき指先側となる前記カバー部(10)の先端側に設けられた孔(32)であることを特徴とする。
カバー部(10)の先端側に孔(32)を設けることにより、より着脱を容易にすることができる。
【発明の効果】
【０００８】
本発明は、以上のように構成されているので、着脱容易で作業がしやすい指カバーを提供することができる。
【図面の簡単な説明】
【０００９】
【図１】本発明の実施の形態であって、指カバーの（Ａ）着用時に手の甲側となる面を示す図及び（Ｂ）その側面図である。
【図２】指カバーの、着用時に手のひら側となる面を示す図である。
【図３】指カバーの着用状態を示す斜視図である。
【図４】（Ａ）指を伸ばしたときのスリットと（Ｂ）指を曲げたときのスリットを示す図である。
【図５】指カバーをコップに引っ掛けた状態を示す側面図である。
【発明を実施するための形態】
【００１０】
本発明の実施の形態を、図面に基づき説明する。
本実施の形態における指カバー１は、耐水性、耐熱性を有する弾性部材（天然ゴム又は合成樹脂）から成り、図１に示すように、複数のカバー部10を連結部20で連結した構造となっている。
各カバー部10は、手指を差し込み可能な開口部11を有する袋状を呈しており（図４（Ａ）参照）、親指に装着可能な第１カバー部10Aと、人差し指又は中指に装着可能な２つの第２カバー部10Bが設けられている（図３参照）。各カバー部10は、少なくとも手指の第一関節よりも指の付け根側までを覆うことができる長さに形成されており、図１に示すように、第２カバー部10Bは、第１カバー部10Aよりも指差込方向の長さが長く、第１カバー部10Aは、第２カバー部10Bよりも内径が大きい。
【００１１】
また、各カバー部10の、指に装着したときに手の甲側となる面（以下表面という。）には、図１（Ａ）に示すように、スリット31と孔32が設けられている。スリット31は、カバー部10の開口部11の開口縁11A近傍から孔32の近傍にわたり長さ方向に形成され、孔32は、各カバー部10の先端側（指先側）に形成されている。孔32は主として空気抜きのためのものであり、スリット31は主として指を曲げやすくするためのものである。そして、スリット31及び孔32はいずれも、カバー部10の内外の通気を可能とする連通部30である。
さらに、各カバー部10の、指に装着したときに手のひら側となる面（以下裏面という。）の指の腹にあたる部分には、図２に示すように、楕円形を描く線状の突起部12が形成されている。この突起部12は、食品を摘む際の滑り止めとして機能する他、指の腹にあたる部分の厚みを増して、揚げ物などの高温の食品を摘む場合に熱が伝わり難くする断熱部としても機能する。
【００１２】
図２に示すように、各カバー部10の裏面の開口縁11Aは、連結部20により連結されている。連結部20は、一方の端が二股に分かれた帯状に形成され、この連結部20によって、第１カバー部10Aの開口部11と二つの第２カバー部10Bの開口部11が対向するように連結されている。連結部20の長さ（第１カバー部10Aの開口縁11Aから第２カバー部10Bの開口縁11Aまでの距離）は、指カバー１を装着したときに、親指、人差し指、中指で食品を摘むことができるのに必要十分な長さとなっている。
なお、図１に示すように、第２カバー部10Bの表面の開口縁11Aには、指の付け根側に突出する舌片12が設けられているとともに、第１カバー部10Aの表面の開口縁11Aには、表面側に突出し先端側に折れ曲がったフック部13が設けられている。舌片12及びフック部13は、指カバー１を着脱する際に手掛かりとするためのものである。さらに、フック部13は、図５に示すように、所定の引っ掛け部（コップの端などでもよい）に引っ掛けることができ、指カバー１を使用しないときに吊して保管しておくことができるようになっている。
【００１３】
上記構成を有する指カバー１では、カバー部10の表面に連通部30が設けてあるので、カバー部10の内経が指の外径とぴったりであっても、装着の際に指を差し込むと連通部30から空気が抜けて、指を入れやすい。取り外す際にも、連通部30から空気が入り、指を容易に引き抜くことができる。これにより、容易に着脱が可能となる。また、連通部30として、スリット31を設けてあるので、カバー部10を装着した指を曲げると、図４（Ｂ）に示すように、スリット31が広がってカバー部10の内径が拡張される。これにより、カバー部10が肉厚部材である場合や硬度が高い（伸縮性が低い）素材を用いている場合でも、指の曲がりが素材の剛性によって阻まれることなく、指を容易に曲げることが可能となる。
【００１４】
なお、上記した実施の形態では、連通部30としてスリット31と孔32との双方を設けてあったが、いずれか一方のみを設けてもよい。また、上記した実施の形態では、スリット31が縦長（指差込方向）に形成してあったが、スリット31を横長（指差込方向と直交する方向）に形成してもよい。また、カバー部10は、少なくとも指の第１関節を覆うものであればよく、第２関節や第３関節までも覆うことができても構わない。さらに、本発明は、連結部20によって連結されていない指カバーにも利用可能である。
【符号の説明】
【００１５】
１  指カバー                        10  カバー部
10A  第１カバー部                   10B  第２カバー部
11  開口部                          12  突起部
13  舌片                            14  フック部
20  連結部                          30  連通部
31  スリット                        32  孔
【図１】
2014221954.tif 000003
【図２】
2014221954.tif 000004
【図３】
2014221954.tif 000005
【図４】
2014221954.tif 000006
【図５】
2014221954.tif 000007